(57)【特許請求の範囲】
【請求項１】
組み立て型浴槽に用いる布形状部材付立設板と突縁付給湯袋であって、
布形状部材付立設板は、下方に布形状部材を設け、布形状部材を内側に位置して立設することにより囲い壁面を構成するものであり、
突縁付給湯袋は、該囲い壁面に内装され、
上縁に、布形状部材仕立設板上縁より上方に突出するとともに、布形状部材付立設板上縁を掩覆して外側へ垂下される突縁部を設け、
突縁付給湯袋と布形状部材付立設板を分離して収納することを特徴とする、
突縁付給湯袋と布形状部材付立設板。
【請求項２】
布形状部材付立設板は、複数の布形状部材付立設板を回転自在に接続して両端を開放した連結立設板、又は、複数の布形状部材付立設板を回転自在に接続して両端が閉鎖した環状立設板のいずれかであることを特徴とする、請求項１に記載の突縁付給湯袋と布形状部材付立設板。
【請求項３】
布形状部材付立設板は、布形状部材付立設板の下面に、布形状部材付立設板の内側へ突出した突出部を有する板形状部材、又は、内側と外側へ突出した突出部を有する板形状部材のいずれかを設けることを特徴とする、請求項１又は２に記載の突縁付給湯袋と布形状部材付立設板。
【発明の詳細な説明】
【技術分野】
【０００１】
組み立て型浴槽に用いる立設板と給湯袋に関する。
【背景技術】
【０００２】
組み立て浴槽には、側板と底板を用いた構成のものがある。（特許文献１参照）
【特許文献１】特願２０１２−２６５８８８
【発明の開示】
【発明が解決しようとする課題】
【０００３】
特許文献１のものは、給湯袋を紐で掛止する必要があり、また、立設板と掛止板の接続が弱くなる問題点があった。  
【課題を解決するための手段】
【０００４】
そこで、請求項１の発明では、
組み立て型浴槽に用いる布形状部材付立設板と突縁付給湯袋であって、
布形状部材付立設板は、下方に布形状部材を設け、布形状部材を内側に位置して立設することにより囲い壁面を構成するものであり、
突禄付給湯袋は、該囲い壁面に内装され、
上縁に、布形状部材仕立設板上縁より上方に突出するとともに、布形状部材付立設板上縁を掩覆して外側へ垂下される突縁部を設け、
突縁付給湯袋と布形状部材付立設板を分離して収納することを特徴とする。
【０００５】
請求項２の発明では、
布形状部材仕立設板は、複数の布形状部材付立設板を回転自在に接続して両端を開放した連結立設板、又は、複数の前記立設板を回転自在に接続して両端が閉鎖した環状立設板のいずれかであることを特徴とする。
【０００６】
請求項３の発明では、
布形状部材付立設板は、布形状部材付立設板の下面に、布形状部材付立設板の内側へ突出した突出部を有する板形状部材、又は、内側と外側へ突出した突出部を有する板形状部材のいずれかを設けることを特徴とする。
【発明の効果】
【０００７】
１、布形状部材により収納が容易になる。
２、給湯袋の突縁部を立設板上縁に仮固定できるので、逆凹形状部材で給湯
袋と立設板の固定作業が容易になる。
３、立設板の立設や撤去時に、突片により布形状部材を保護出来る。
【発明を実施するための最良の形態】
【０００８】
以下、本発明の実施の形態を図により説明する。
図１（Ａ）は、
柔軟な部材で構成した連続突縁給湯袋１は、連続突縁部２が連続して構成され、立設板上縁４６より上方に突出し部位が連続突縁部２となる。
連続突縁部２の上方の大きさは２００ｍｍ〜４００ｍｍが好ましく３００ｍｍがもっとも好ましい。図３（Ａ）に示す奥立設板３と左立設板４と右立設板６と前立設板５で構成した図３（Ｂ）の壁面Ａに、連続突縁給湯袋１を内装後、
【０００９】
連続突縁部２を立設板上縁４６に掩覆して、
外側へ垂下すると、連続突縁給湯袋１上方が立設板上縁４６に仮固定され、この状態でも浴槽として使用できる。
更に確実な固定をするには、（Ｂ）に示すように、立設板上縁４６に連続突縁部２の上から、着脱自在に、逆凹部材１１を冠着する、又は、図３（Ｃ）に示すＬ逆凹部材１４を、（Ｄ）に示すようにＬ逆凹部材１４のいずれかを冠着する、又は、混合して冠着する、のいずれかを用い、連続突縁給湯袋１を立設板３４に固定する。
連続突縁部２を立設板上縁４６に掩覆して外側へ垂下すると逆凹部材１１やＬ逆凹部材１４を冠着する作業が容易になる。
【００１０】
（Ｂ）は、連続突縁部２を立設板上縁４６に掩覆して外側へ垂下し逆凹部材１１を嵌設して連続突縁部２を立設板上縁４６に固定している。ＡＡーＡＡ断面図を図５に示す。
（Ｃ）は、やや硬い部材を用いる際に、切片突縁給湯袋１３に構成し、上縁をそれぞれの立設板上縁４６より突出し、
立設板上縁４６より上方に突出した部位の、角のそれぞれを切離してを切片突縁部１２として構成する。
（Ｄ）は、切片突縁給湯袋１３を壁面Ａに内装し、
それぞれの切片突縁部１２を立設板上縁４６に掩覆して外側へ垂下し、
切片突縁給湯袋１３のそれぞれの角にＬ逆凹部材１４を着脱自在に冠着し、切片突縁給湯袋１３をそれぞれの立設板３４に固定している。
【００１１】
Ｌ逆凹部材１４をそれぞれの立設板３４の角に冠着して、立設板３４上方を掛止する部材として用いることも出来る。
また、（Ｂ）に示すように、Ｌ逆凹部材１４に換えて、逆凹部材１１を着脱自在に冠着して切片突縁給湯袋１３をそれぞれの立設板３４に固定しても良い。
図２（Ａ）は、連続突縁給湯袋１を示し、柔軟な部材を用いて構成する際、
立設板上縁４６より上方に突出する連続突縁部２を連続して設け、
立設板上縁４６を折線１５の目安として設ける。
（Ｂ）は切片突縁給湯袋１３を示し、やや硬い部材を用いて構成する際、
立設板上縁４６より上方に突出して、それぞれの角で切離する切片突縁部１２を設け、
立設板上縁４６を折線１５部位の目安として設ける。
【００１２】
（Ｃ）は、（Ａ）及び（Ｂ）の開口部を起立し端部を折畳して構成した突縁枡形給湯袋４１で、主として、環状立設板３０で構成された壁面Ａに内装して浴槽を構成し、
また、他の連結立設板小３５や連結立設板大３３や、
奥立設板３と左立設板４と右立設板６と前立設板５で、構成された壁面Ａに内装して浴槽を構成しても良い。
図３（Ａ）は、奥立設板３、前立設板５、左立設板４、右立設板６、それぞれの下方に布形状部材２４を接合した斜視図で、
【００１３】
布形状の大きさは長手方向はそれぞれの立設板３４と略同一で、短手方向の大きさは１００ｍｍ〜４００ｍｍが好ましく、２００ｍｍが最も好ましい。
奥立設板３の両端に、奥突片左１８と奥突片左下１９と、奥突片右１６と奥突片右下１７を接続し、
左立設板４の両端に、左突片前２２と左突片前下２３と、左突片奥２０と左突片奥下２１を接続し、
右立設板６の両端に、右突片奥２５と右突片奥下２６を、右突片前８と右突片前下９を接続し、
前立設板５の両端に、前突片左２７と前突片左下２８を、前突片右７と前突片右下１０を接続し、
布形状部材２４を内側Ｂに位置して、
奥立設板３と左立設板４を立設して、左突片奥２０と奥突片左１８を掛止し、左突片奥下２１と奥突片左下１９を掛止し、
【００１４】
右側立設板を立設して、奥突片右１６と右突片奥２５を掛止し、奥突片右下１７と右突片奥下２６を掛止し、
前立設板５を立設して、左突片前２２と前突片左２７を掛止し、左突片前下２３と前突片左下２８を掛止し、前突片右７と右突片前８を掛止し、前突片右下１０と右突片前下９を掛止して、
（Ｂ）に示すように壁面Ａを構成する。
それぞれの掛止を解き、奥立設板３、前立設板５、左立設板４、右立設板６を抜出解除して収納する。
（Ｃ）はＬ逆凹部材１４を示し、図１（Ｄ）に示すように、切片突縁部１２の上方から、壁面Ａのそれぞれの角に冠着し、切片突縁給湯袋１３を壁面Ａに固定し、
【００１５】
また、図１（Ｂ）の、逆凹部材１１を抜出して、連続突縁部２の上方から、壁面Ａのそれぞれの角に冠着し、連続突縁給湯袋１を壁面Ａに固定する。
なお、Ｌ逆凹部材１１を冠着することで、奥立設板３、前立設板５、左立設板４、右立設板６、の上方が固定されるので、奥突片左１８と奥突片右１６と、右突片奥２５と右と突片前と前突片右７と前突片左２７と左突片前２２と左突片奥２０は、取り去っても良い。
【００１６】
図４（Ａ）は４枚の立設板３４を、蝶板２９で折畳展開自在に閉鎖環状に接続して環状立設板３０を構成し、環状立設板３０を展開して壁面Ａを構成した斜視図で、布形状部材２４は壁面Ａの内側Ｂに位置する。なお、立設板３４を５枚以上接続した構成としても良い。
（Ｂ）は、壁面Ａの上方視図で、
壁面Ａの立設構成と環状立設板３０の取り扱いがワンタッチで簡単になり、
（Ｃ）に示す斜視図のように、環状立設板３０を、外側から内側へ押進してワンタッチで折畳し、収納できるので取り扱いと保管が簡単になり、布形状部材２４は内側又は外側のいずれに位置してもよい。
【００１７】
図５は、図１（Ｂ）のＡＡーＡＡ断面図で、連続突縁給湯袋１の内側Ｂの湯Ｅの水圧Ｄで布形状部材２４は床に圧着され、
連続突縁給湯袋１内の湯Ｅが左立設板４と右立設板６の下方から滑出したり、それぞれが浮上するのを阻止し、
逆凹部材１１は、それぞれの立設板上縁４６に連続突縁部２の掩覆部に嵌着して、
連続突縁給湯袋１をそれぞれの立設板３４に固定している。
これにより、浴槽構成が確固となると同時に、人が浴槽からの出入りの際、連続突縁給湯袋１の上縁がじゃまにならない。
【００１８】
図６（Ａ）は、
３枚の立設板３４を蝶板２９で回転自在に接続し連結立設板大３３を構成し、
また、蝶板２９に代えて接続部位に凹部３８と凸部３７を相対して設け、カンヌキ３６で接続しても良く、
また、立設板３４の枚数は３枚に限らず４枚以上にしてもよい。
それぞれの布形状部材２４を内側に位置して、
前立設板５の前突片左２７と左突片前２２を、前突片左下２８と左突片前下２３を、
前突片右７と右突片前８を、前突片右下１０と右突片前下９を、
それぞれ掛止して立設し壁面Ａを構成する。
連結立設板大３３により三方の壁面Ａを一度に構成して自立させるので、残る前立設板５の立設が容易になり、壁面Ａ構成が容易になる。
【００１９】
また、撤去も連結立設板大３３と前立設板５の撤去で済むため、取り扱いが容易になる。
（Ｂ）は、連結立設板を折畳し収納した上方視図で、右立設板６を外側へ、左立設板４を内側Ｂへ折畳しているが、折畳方向はどちら側でも良い。
（Ｃ）は、連結立設板大３３と前立設板５を立設し、
前突片右７と連結右突片前４２を、
右突片前下９と連結突片前下４３を、
連結突片前４４と前突片左２７を、
左突片前下２３と前突片左下２８をそれぞれ掛止して、
構成した壁面Ａの完成斜視図である。
【００２０】
図7（Ａ）は、
それぞれの立設板３４の下方外側に布形状部材２４を接続した構成で、Ｌ形状固定部材３１は内側Ｂへ屈曲し、ネジ又は接着部材で、Ｌ形状固定部材３１と布形状部材２４を固定し、内側突出部３２を設ける。
これにより立設板３４の立設や撤去時に、立設板３４が内側Ｂへ傾斜した際、床面Ａから布形状部材２４を保護し損耗を防止する。
（Ｂ）は立設板３４下方端５５に布形状部材２４を接続し板形状固定部材３４ａで固定した構成で、板形状固定部材３４ａに外側突出部５７と内側突出部３２を設けて、
立設板３４の立設収納時に、布形状部材２４と下方端縁５５の損耗を防止している。
【００２１】
（Ｃ）は立設板３４下方内側に布形状部材２４を接続し、板形状固定部材３４ａとネジ又は接着部材で布形状部材２４を固定し、
下方端５５に、外側突出部５７と内側突出部３２を有する板形状底縁部材３４bを設けて、
立設板３４の立設収納時に、布形状部材２４と下方端縁５５の損耗を防止している。
（Ｄ）は立設板３４内側の下方端縁５５より、やや上方に布形状部材２４を接続し、
板形状固定部材３４ａとネジ又は接着部材で布形状部材２４を固定し、
下方端５５に、外側突出部５７と内側突出部３２を有する板形状底縁部材３４bを設けて、
立設板３４の立設収納時に、布形状部材２４と下方端縁５５の損耗を防止している。
図８（Ａ）は、
２枚の立設板３４を蝶板２９で回転自在に接続して２対の連結立設板小３５を構成し、
一方の連結立設板小３５に連結突片前４９と連結突片前下５０を、連結突片右４７と連結突片右下４８とを設け、
他方の連結立設板小３５に連結突片左５３と連結突片左下５４を、連結突片奥５１と連結突片奥下５２とを設け、
（Ｂ）に示すように、
それぞれの布形状部材２４を内側Ｂに位置して、２対の連結立設板小３５の、
連結突片左５３と連結突片前４９を、
連結突片左下５４と連結突片前下５０を、
それぞれ掛止して壁面Ａをを構成する。
【００２２】
（連結突片右４７と連結突片奥５１を、連結突片右下４８と連結突片奥下５２をそれぞれ掛止した状態は図面に表示されていない）
（Ｃ）に示すように、それぞれの掛止を解いて、連結立設板小３５を折畳して収納する。
これにより、掛止部分の解除が２箇所になり、取り扱い点数が減り、掛止と折畳収納が容易になる。
この方法は、掛止２箇所のうちの１箇所を掛止した後、コ文字形状に立設して、図２の（Ａ）連続突縁給湯袋１又は（Ｂ）切片突縁給湯袋１３のいづれかを内装し、
車椅子を壁面内に導入し、残る立設板３４を掛止して、浴槽を構成できる。
（Ｄ）に示すように、連結立設板小３５の構成方法は、立設板３４に凹部３８と立設板３４に凸部３７を相対して設け、カンヌキ３６で接続しても良い。
カンヌキ３６で接続する方法は、図４の環状立設板３０を構成する方法に用いても良い。
図９に示すように、立設板３４相互の掛止方法は、Ｌ突片４０と丸突片３９を用いてもよく、その他、掛止可能な方法であれば、どのような部材を使用しても良い。
【００２３】
図１０（Ａ）は４枚の立設板３４a〜cを蝶板２９で接続して連結立設板極大５６を構成し、
（Ｂ）は、布形状部材２４を内側にして、連結立設板大右突片前４２と前突片右７を掛止し、連結立設板大突片前下４３と前突片右下１０を掛止して、壁面Ａを構成し、
（Ｃ）は立設板３４a〜cを２４折畳して収納出来る。
これにより、取り扱い点数を少なく出来て、掛止箇所が１箇所で済み、折畳すると１個の部材になり、取り扱い収納が簡単になる。
図１１（Ａ）は立設板３４を２枚と、立設板h３４hと立設板ｇ３４gと立設板e３４eと立設板ｆ３４fとを、それぞれ蝶板２９で回転自在に接続して、環形状の中折立設板５９を構成し、それぞれの布形状部材２４を内側にして、立設して壁面Ａを構成する。
これにより、内側から拡開するだけで設置が簡易に可能となる。
立設板h３４hと立設板ｆ３４fの内側に補強板５８を接続している。
これにより、立設して壁面Ａを構成した際に、内側からの水圧で、立設板h３４hと立設板ｇ３４g、および、立設板e３４gと立設板ｆ３４fが外側へ拡開するのを阻止している。
（Ｂ）は折畳して収納する途中で、立設板h３４hと立設板ｇ３４g、立設板e３４eと立設板f３４f、をそれぞれ内側へ押進すると、２枚の立設板３４が内側へ接近し、
（Ｃ）に示すように折畳される。
これにより収納全体を立設板３４の大きさに収納できる。
これにより一つの立設板３４を持つだけで設置と折畳と収納が簡易に出来る。
【図面の簡単な説明】
【００２４】
【図１】（Ａ）は壁面に、連続突縁給湯袋を内装した斜視図、        （Ｂ）は壁面に、連続突縁給湯袋を内装し、逆凹部材を冠着した斜視図、        （Ｃ）は切片突縁給湯袋の斜視図、        （Ｄ）は壁面に、切片突縁給湯袋を内装し、Ｌ逆凹部材を冠着した斜視図。
【図２】（Ａ）は、連続突縁給湯袋の斜視図、（Ｂ）は切片突縁給湯袋斜視図。
【図３】（Ａ）は、立設板の分離斜視図、（Ｂ）は、立設板で壁面を構成した斜視図、        （Ｃ）は、Ｌ逆凹部材の斜視図。
【図４】（Ａ）は、４枚の立設板を展開折畳自在に蝶板で接続して構成した連続立設板の              構成と、展開して壁面を構成した斜視図、        （Ｂ）は、連続立設板を展開し壁面を構成した上方視図        （Ｃ）は、連続立設板を折畳した上方視図。
【図５】は、図１（Ｂ）のＡーＡ断面図．
【図６】（Ａ）は、３枚の立設板を接続した連結立設板の斜視図、        （Ｂ）は、連結立設板の折畳上方視図。
【図７】（Ａ）は、布形状部材を立設板外側に接続した斜視図、        （Ｂ）は、布形状部材を立設板下端縁に接続した斜視図、        （Ｃ）は、布形状部材を立設板内側に接続した斜視図。
【図８】（Ａ）は、２枚の立設板を蝶板で接続し構成する連結立設板を示す斜視図、        （Ｂ）は、２枚の連結立設板を用いて構成した壁面示す斜視図、        （Ｃ）は、連結立設板の折畳状態を示す斜視図、        （Ｄ）はカンヌキで構成する連結立設板を示す斜視図。
【図９】は丸突片とＬ突片を示す斜視図。
【図１０】（Ａ）は４枚の立設板を連結した連結立設板極大斜視図、          （Ｂ）連結立設板極大を使用して壁面を構成した斜視図、          （Ｃ）折畳した上方視図、
【図１１】は中折立設板の斜視図で、          （Ａ）は６枚の立設板を連結した連結立設板極大斜視図、          （Ｂ）は折畳途中の斜視図、          （Ｃ）は折畳した斜視図、
【符号の説明】
【００２５】
Ａ  壁面、
Ｂ  内側、
Ｃ  床面、
Ｄ  水圧、
Ｅ  湯
１  連続突縁給湯袋、
２  連続突縁部、
３  奥立設板、
４  左立設板、
５  前立設板、
６  右立設板、
７  前突片右、
８  右突片前、
９  右突片前下、
１０  前突片右下、
１１  逆凹部材、
１２  切片突縁部、
１３  切片突縁給湯袋、
１４  Ｌ逆凹部材、
１５  折線、
１６  奥突片右、
１７  奥突片右下、
１８  奥突片左、
１９  奥突片左下、
２０  左突片奥、
２１  左突片奥下、
２２  左突片前、
２３  左突片前下、
２４  形状部材、
２５  右突片奥、
２６  右突片奥下、
２７  前突片左、
２８  前突片左下、
２９  蝶板、
３０  環状立設板、
３１  Ｌ形状固定部材、
３２  内側突出部、
３３  連結立設板大、
３４  立設板、
３４a  立設板a、
３４ｂ  立設板ｂ、
３４c  立設板ｃ、
３４d  立設板ｄ、
３４ｐ  板形状固定部材、
３４e  立設板e
３４f  立設板f  
３４ｇ
立設板g
３４h
立設板h
３５  連結立設板小、
３６  カンヌキ、
３７  凸部、
３８  凹部、
３９  丸突片、
４０  Ｌ突片、
４１  突縁枡形給湯袋、
４２  連結立設板大右突片前、
４３  連結立設板大突片前下、
４４  連結立設板大突片前、
４５  連結立設板大突片前下、
４６  立設板上縁、
４７  連結立設板小突片右、
４８  連結立設板小突片右下、
４９  連結立設板小突片前、
５０  連結立設板小突片前下、
５１  連結突片小突片奥、
５２  連結突片小突片奥下、
５３  連結突片小突片左、
５４  連結突片小突片左下、
５５  下方端縁、
５６  連結立設板極大
５７  外側突出部
５８  補強板
５９  中折立設板
【要約】
【課題】
本発明は、組み立て浴槽には、側板と底板を用いた構成のものがあるが、
給湯袋を紐で掛止する必要があり、また、立設板と掛止板の接続が弱くなる問題点があったので、側板に布形状部材を接続し、給湯袋に突縁部を設けた組み立て浴槽を提供する。
【手段】
給湯袋１の、立設板上縁４６より上方に突出し部位が連続突縁部２となる。
やや硬い部材を用いる際に、立設板上縁４６より突出した部位の、角を切離して切片突縁部１２として構成する。
立設板下方に布形状部材２４を接合し、立設板を接続して環状立設板３０、連結立設板大３３、連結立設板小を構成し、それぞれを立設して壁面を構成し、壁面に給湯袋を内装し、浴槽を構成する。
【選択図】  図１【図１】
0005497943.tif 000002
【図２】
0005497943.tif 000003
【図３】
0005497943.tif 000004
【図４】
0005497943.tif 000005
【図５】
0005497943.tif 000006
【図６】
0005497943.tif 000007
【図７】
0005497943.tif 000008
【図８】
0005497943.tif 000009
【図９】
0005497943.tif 000010
【図１０】
0005497943.tif 000011
【図１１】
0005497943.tif 000012